【事件の表示】
　特願２００９−２９５８３２「遊技機」拒絶査定不服審判事件〔平成２３年　７月１４日出願公開、特開２０１１−１３５９１３〕について、次のとおり審決する。
【結　論】
　本件審判の請求は、成り立たない。
【理　由】
第１　手続の経緯
　本願は、平成２１年１２月２５日の出願であって、平成２４年１２月１１日付けで拒絶査定がなされ、それに対して、平成２５年３月１８日に拒絶査定不服審判の請求がなされた後、当審において、平成２６年７月４日付けで最後の拒絶理由が通知され、同年９月５日に意見書及び手続補正書が提出され、同年１１月７日付けで再度最後の拒絶理由が通知され、平成２７年１月６日に意見書及び手続補正書が提出されたものである。
第２　平成２７年１月６日付けの手続補正についての補正却下の決定
［補正却下の決定の結論］
　平成２７年１月６日付けの手続補正（以下「本件補正」という。）を却下する。
［理由］
１　補正の内容
　本件補正は、特許請求の範囲を補正する内容を含んでおり、本件補正により、特許請求の範囲の請求項１は、
「複数の表示領域において各々が識別可能な識別情報を有した複数の図柄を変動させて最終停止図柄で停止する図柄変動装置と、
前記複数の図柄のうち少なくとも一つのその後停止するであろう停止予定図柄を予告するための停止図柄予告信号を出力する停止図柄予告手段とを備えた遊技機において、
当該１回の図柄変動中に図柄を１回または複数回再変動させて擬似的に複数回の図柄変動を行う擬似連続予告演出を実行可能な演出実行手段を備え、
前記擬似連続予告演出が実行される場合に、予告された停止図柄予告が変更可能に構成され、
前記擬似連続予告演出が実行される場合に、前記停止図柄予告手段によって出力された停止図柄予告信号に従ってなされた停止図柄予告を、その後少なくとも１回変更するための停止図柄予告変更信号を出力する停止図柄予告変更手段とを備え、
前記図柄変動装置において変動している前記複数の図柄が当該変更された停止図柄予告における停止予定図柄と同一の図柄の仮停止図柄で仮停止および最終停止図柄で停止するように構成されている
ことを特徴とする遊技機。」
から
「複数の表示領域において各々が識別可能な識別情報を有した複数の図柄を変動させて最終停止図柄で停止する図柄変動装置と、
前記複数の図柄のうち少なくとも一つのその後停止するであろう停止予定図柄を予告するための停止図柄予告信号を出力する停止図柄予告手段とを備えた遊技機において、
当該１回の図柄変動中に図柄を
仮停止させた後に
前記停止図柄予告手段により実行される停止図柄予告は、前記図柄の変動開始から仮停止するよりも前までの図柄変動中に停止予定図柄を表示するものであり、
前記擬似連続予告演出が実行される場合に、前記停止図柄予告手段によって出力された停止図柄予告信号に従ってなされた停止図柄予告を、その後少なくとも１回変更するための停止図柄予告変更信号を出力する停止図柄予告変更手段とを備え、
前記図柄変動装置において変動している前記複数の図柄が当該変更された停止図柄予告における停止予定図柄と同一の図柄の仮停止図柄で仮停止および最終停止図柄で停止するように構成されている
ことを特徴とする遊技機。」
に補正された（下線は、補正箇所を明示するために審決にて付した。）。
　上記補正は、補正前の請求項１に記載した発明を特定するために必要な事項である「演出実行手段」に関して、１回の図柄変動中に図柄を「仮停止させた後に」１回または複数回再変動させて擬似的に複数回の図柄変動を行う点を限定し、また、補正前の請求項１に記載した発明を特定するために必要な事項である「停止図柄予告手段」に関して、「停止図柄予告は、前記図柄の変動開始から仮停止するよりも前までの図柄変動中に停止予定図柄を表示するもの」である点を限定したものであって、特許法第１７条の２第５項第２号の特許請求の範囲の減縮を目的とするものに該当する。
　そこで、本件補正後の請求項１に記載された発明（以下「本願補正発明」という。）が特許出願の際独立して特許を受けることができるものであるか（特許法第１７条の２第６項において準用する同法第１２６条第７項の規定に適合するか）について以下に検討する。
２　独立特許要件について
（１）刊行物１に記載された発明
　当審における平成２６年１１月７日付けの拒絶の理由に刊行物１として引用された特開２００９−２９１４３５号公報（以下「刊行物１」という。）には、図面とともに以下の事項が記載されている（下線は審決で付した。以下同じ。）。
（１−ａ）「【特許請求の範囲】
【請求項１】
　
各々が識別可能な複数種類の識別情報を変動表示する複数の変動表示領域を有する変動表示部を備え、該変動表示部に導出表示された識別情報の表示結果が予め定められた特定表示結果となったときに、遊技者にとって有利な特定遊技状態に制御する遊技機であって、
　前記特定遊技状態に制御するか否か、および、前記特定遊技状態を第１の特定遊技状態と該第１の特定遊技状態よりも遊技者にとって有利な第２の特定遊技状態とのいずれにするかを、前記識別情報の表示結果が導出表示される以前に決定する事前決定手段と、
　該事前決定手段による決定に基づいて、前記特定遊技状態として、第１の特定遊技状態または第２の特定遊技状態にする制御を行なう特定遊技状態制御手段と、
　前記事前決定手段による決定に基づいて、
前記変動表示部において、前記識別情報の変動表示が開始されてから表示結果が導出表示されるまでに一旦非特定表示結果となる特殊表示結果を仮停止させた後に、すべての変動表示領域において変動表示を再度実行する再変動を１回または複数回実行する再変動表示を行なう再変動表示パターンを含む予め定められた複数種類の前記識別情報の変動表示パターンの中から１つの変動表示パターンを選択する変動表示パターン選択手段と、
　
該変動表示パターン選択手段が選択した変動表示パターンに基づいて、前記識別情報の変動表示を実行する変動表示実行手段とを備え、
　
前記再変動表示パターンは、前記特殊表示結果以外の非特殊表示結果を仮停止し、当該非特殊表示結果を構成する一部の変動表示領域において仮停止されている識別情報を変更することにより前記特殊表示結果を仮停止し、前記再変動を実行する変動表示パターンを含み、
　前記変動表示パターン選択手段は、変動表示パターンとして前記再変動表示パターンを選択するときに、選択する再変動表示パターンにおける前記再変動の実行回数に応じて、前記特定遊技状態として前記第１の特定遊技状態に制御される割合が異なるように変動表示パターンを選択することを特徴とする、
遊技機。
（１−ｂ）「【０００７】　（１）　各々が識別可能な複数種類の識別情報（演出図柄）を変動表示する複数の変動表示領域（「左」、「中」、「右」の各図柄表示エリア９Ｌ、９Ｃ、９Ｒ）を有する
変動表示部
演出表示装置
　前記特定遊技状態に制御するか否か、および、前記特定遊技状態を第１の特定遊技状態と該第１の特定遊技状態（２ラウンド大当り状態（突確大当り））よりも遊技者にとって有利な第２の特定遊技状態（１５ラウンド大当り状態（通常大当り、確変大当り））とのいずれにするかを、前記識別情報の表示結果が導出表示される以前に決定する事前決定手段（遊技制御用マイクロコンピュータ５６０、図３７のＳ６２，Ｓ７３）と、
　該事前決定手段による決定に基づいて、前記特定遊技状態において、決定された回数で前記可変入賞手段を前記第１状態に変化させる制御を行なう特定遊技状態制御手段（遊技制御用マイクロコンピュータ５６０、図３３のＳ３０５〜Ｓ３０７）と、
　前記事前決定手段による決定に基づいて、前記変動表示部において、前記識別情報の変動表示が開始されてから表示結果が導出表示されるまでに一旦非特定表示結果となる特殊表示結果を仮停止させた後に、すべての変動表示領域において変動表示を再度実行する再変動を１回または複数回実行する再変動表示を行なう再変動表示パターン（擬似連の演出を含む変動パターン）を含む予め定められた複数種類の前記識別情報の変動表示パターン（変動パターン）の中から１つの変動表示パターンを選択する
変動表示パターン選択手段
遊技制御用マイクロコンピュータ
　該変動表示パターン選択手段が選択した変動表示パターンに基づいて、前記識別情報の変動表示を実行する
変動表示実行手段
演出制御用マイクロコンピュータ
　前記再変動表示パターンは、前記特殊表示結果以外の非特殊表示結果（リーチ形成図柄のような擬似連チャンス目以外の仮停止図柄）を仮停止し（図５１の（Ｂ））、当該非特殊表示結果を構成する一部の変動表示領域において仮停止されている識別情報を変更する（右仮停止図柄を滑り変動する）ことにより（図５１の（Ｃ））前記特殊表示結果を仮停止し（図５１の（Ｅ））、前記再変動（擬似連の変動）を実行する変動表示パターンを含み（図１５および図１６に示すように、スーパーＰＡ３−３−１、スーパーＰＡ３−６−１、スーパーＰＡ４−６−１、スーパーＰＡ５−３−１、スーパーＰＢ３−３−１、スーパーＰＢ４−３−１およびスーパーＰＢ５−３−１の変動パターンは、演出制御用マイクロコンピュータ１００における図１１５のＳ５１９〜Ｓ５２２、図１２０のＳ１５６５〜Ｓ５６６Ａ、図１２４および図１２５のＳ８４０Ａ〜Ｓ８５８，Ｓ８６９Ａ〜Ｓ８６９Ｆにより、１回目滑り後チャンス目仮停止演出をする変動パターンである）、
　前記変動表示パターン選択手段は、変動表示パターンとして前記再変動表示パターンを選択するときに、選択する再変動表示パターンにおける前記再変動の実行回数に応じて、前記特定遊技状態として前記第１の特定遊技状態に制御される割合が異なるように変動表示パターンを選択する（遊技制御用マイクロコンピュータ５６０、ステップＳ９１〜Ｓ１０５の処理において、図１５および図１６に示すように、１５ラウンドの通常大当りおよび確変大当りとなるときには、３回、４回または５回変動の擬似連用の変動パターンであるスーパーＰＡ４−３、スーパーＰＡ４−６−１、スーパーＰＡ４−６−２、スーパーＰＡ５−３−１、スーパーＰＡ５−３−２、スーパーＰＢ４−３−１、スーパーＰＢ４−３−２、スーパーＰＢ５−３−１またはスーパーＰＢ５−３−２を決定し、２ラウンドの突確大当りとなるときには、２回または３回変動の擬似連用の変動パターンである特殊ＰＧ１−３または特殊ＰＧ１−４を決定する）。」
（１−ｃ）「【００６９】　
演出制御基板８０は、演出制御用ＣＰＵ１０１
を含む演出制御用マイクロコンピュータ１００を搭載している。
演出制御用ＣＰＵ１０１は、演出制御コマンドに基づいて、ＶＤＰ（ビデオディスプレイプロセッサ）１０９に演出表示装置９の表示制御を行なわせる。
【００７０】
　また、操作ボタン３０からの操作信号が、入力ポート１０７を介して演出制御用マイクロコンピュータ１００に入力される。演出制御用マイクロコンピュータ１００は、後述するように、操作ボタン３０からの操作信号に基づいて、たとえば予告演出等の遊技の演出を行なう。
【００７１】
　この実施の形態では、演出制御用マイクロコンピュータ１００と共動して演出表示装置９の表示制御を行なう
ＶＤＰ１０９が演出制御基板８０に搭載されている。
（１−ｄ）「【０２２６】　図３２は、遊技制御用マイクロコンピュータ５６０が送信する演出制御コマンドの内容の一例を示す説明図である。図３２に示す例において、コマンド８０ＸＸ（Ｈ）は、特別図柄の変動表示に対応して演出表示装置９において変動表示される演出図柄の
変動パターンを指定する演出制御コマンド
（１−ｅ）「【０９５９】　図１１５を参照して、演出制御用ＣＰＵ１０１は、変動時間タイマに、変動パターンコマンドで特定される変動時間に相当する値を設定する（Ｓ５２１）。なお、変動時間タイマは、演出図柄の変動を開始してから最終停止図柄を停止表示するまでの変動時間を計測するためのタイマである。また、変動制御タイマに所定時間を設定する（Ｓ５２１ａ）。なお、変動制御タイマは、演出図柄の表示画面を表示してから次の演出図柄の表示画面を表示するまでの時間を計測するためのタイマである。変動制御タイマは、前述した演出制御プロセスタイマと兼用してもよい。また、所定時間はたとえば３０ｍｓであり、
演出制御用ＣＰＵ１０１
演出図柄の表示状態を示す画像データをＶＲＡＭに書き込み、ＶＤＰ１０９がＶＲＡＭに書き込まれた画像データに応じた信号を演出表示装置９に出力し、
　上記（１−ａ）ないし（１−ｅ）の事項を総合すると、刊行物１には、次の発明が記載されていると認められる（以下「刊行物１発明」という。）。
「各々が識別可能な複数種類の識別情報を変動表示する複数の変動表示領域を有する変動表示部（演出表示装置）を備え、該変動表示部（演出表示装置）に導出表示された識別情報の表示結果が予め定められた特定表示結果となったときに、遊技者にとって有利な特定遊技状態に制御する遊技機であって、
　前記変動表示部（演出表示装置）において、前記識別情報の変動表示が開始されてから表示結果が導出表示されるまでに一旦非特定表示結果となる特殊表示結果を仮停止させた後に、すべての変動表示領域において変動表示を再度実行する再変動を１回または複数回実行する再変動表示を行なう再変動表示パターンを含む予め定められた複数種類の前記識別情報の変動表示パターンの中から１つの変動表示パターンを選択する変動表示パターン選択手段（遊技制御用マイクロコンピュータ）と、
　該変動表示パターン選択手段が選択した変動表示パターンに基づいて、前記識別情報の変動表示を実行する変動表示実行手段（演出制御用マイクロコンピュータ）とを備え、
　前記再変動表示パターンは、前記特殊表示結果以外の非特殊表示結果を仮停止し、当該非特殊表示結果を構成する一部の変動表示領域において仮停止されている識別情報を変更することにより前記特殊表示結果を仮停止し、前記再変動を実行する変動表示パターンを含み、
　演出制御基板に、前記変動表示実行手段（演出制御用マイクロコンピュータ）、及び、ＶＤＰが搭載され、
　前記変動表示実行手段（演出制御用マイクロコンピュータ）は演出制御用ＣＰＵを含み、
　前記演出制御用ＣＰＵは、変動パターンを指定する演出制御コマンドに基づいて、演出図柄の表示状態を示す画像データをＶＲＡＭに書き込み、
　前記ＶＤＰが前記ＶＲＡＭに書き込まれた画像データに応じた信号を前記変動表示部（演出表示装置）に出力する、
　遊技機。」
（２）刊行物１に記載された事項
　刊行物１には、（１−ａ）ないし（１−ｅ）に加えて、以下の事項が記載されている。
（１−ｆ）「【０３１５】　
「滑り」の特定演出が実行される場合
「右」の図柄表示エリア９Ｒで「５」の演出図柄を停止表示（仮停止表示）してから、
「右」の図柄表示エリア９Ｒで演出図柄を高速に再変動させる。
「右」の図柄表示エリア９Ｒで「７」の演出図柄になるように、停止表示させる演出図柄を変更させる。
その後、
「中」の図柄表示エリア９Ｃで「４」の演出図柄を停止表示（仮停止表示）した後、非リーチの組合せとなる演出図柄が停止表示（最終停止表示）される。
　上記（１−ｆ）から、刊行物１には「「滑り」の特定演出が実行される場合、「右」の図柄表示エリア９Ｒで、「５」の演出図柄を仮停止表示してから、演出図柄を高速に再変動させ、「７」の演出図柄になるように、停止表示させる演出図柄を変更させ、その後、「中」の図柄表示エリア９Ｃで「４」の演出図柄を仮停止表示した後、演出図柄が最終停止表示される」という事項が記載されている。
（３）対比
　本願補正発明と刊行物１発明とを対比する。
ア　刊行物１発明における「変動表示領域」、「（識別可能な複数種類の）識別情報」、「識別情報の表示結果」、「非特殊表示結果」及び「特殊表示結果」は、それぞれ、本願補正発明における「表示領域」、「（識別可能な）識別情報を有した（複数の）図柄」、「最終停止図柄」、「停止予定図柄」及び「変更された停止図柄予告における停止予定図柄」に相当する。
イ　上記アから、刊行物１発明における「各々が識別可能な複数種類の識別情報を変動表示する複数の変動表示領域を有」し、「識別情報の表示結果」が「導出表示」される「変動表示部（演出表示装置）」は、本願補正発明における「複数の表示領域において各々が識別可能な識別情報を有した複数の図柄を変動させて最終停止図柄で停止する図柄変動装置」に相当する。
ウ　上記アから、刊行物１発明における「非特殊表示結果を仮停止」する「再変動表示パターン」の「変動パターンを指定する演出制御コマンドに基づいて」「ＶＲＡＭに書き込」まれた「画像データに応じた信号を前記変動表示部（演出表示装置）に出力する」「ＶＤＰ」は、本願補正発明における「前記複数の図柄のうち少なくとも一つのその後停止するであろう停止予定図柄を予告するための停止図柄予告信号を出力する停止図柄予告手段」に相当する。
エ　刊行物１発明における「前記識別情報の変動表示が開始されてから表示結果が導出表示されるまでに一旦非特定表示結果となる特殊表示結果を仮停止させた後に、すべての変動表示領域において変動表示を再度実行する再変動を１回または複数回実行する」ことは、本願補正発明における「１回の図柄変動中に図柄を仮停止させた後に１回または複数回再変動させて擬似的に複数回の図柄変動を行う」ことに相当する。
　したがって、刊行物１発明における「前記識別情報の変動表示が開始されてから表示結果が導出表示されるまでに一旦非特定表示結果となる特殊表示結果を仮停止させた後に、すべての変動表示領域において変動表示を再度実行する再変動を１回または複数回実行する再変動表示を行なう再変動表示パターン含む予め定められた複数種類の前記識別情報の変動表示パターンの中から」「選択」された「１つの変動表示パターン」に基づいて「前記識別情報の変動表示を実行する変動表示実行手段（演出制御用マイクロコンピュータ）」は、本願補正発明における「当該１回の図柄変動中に図柄を仮停止させた後に１回または複数回再変動させて擬似的に複数回の図柄変動を行う擬似連続予告演出を実行可能な演出実行手段」に相当する。
オ　本願補正発明の「当該１回の図柄変動中に図柄を仮停止させた後に１回または複数回再変動させて擬似的に複数回の図柄変動を行う擬似連続予告演出」との記載から、本願補正発明の「仮停止」はその後に「再変動」が行われるものを意味していると認められるところ、刊行物１発明における「特殊表示結果」の「仮停止」はその後に「再変動を実行する」ものであるから、本願補正発明における「仮停止」に相当し、また、刊行物１発明における「非特殊表示結果」の「仮停止」はその後に「識別情報を変更」するものであるから、本願補正発明における「仮停止」には相当しない。
　よって、刊行物１発明における「特殊表示結果を仮停止」するよりも前の期間は、本願補正発明における「仮停止するよりも前」に相当する。
　したがって、刊行物１発明における「変動表示」において「特殊表示結果を仮停止」するよりも前に「非特殊表示結果を仮停止」することは、本願補正発明における「前記停止図柄予告手段により実行される停止図柄予告は、前記図柄の変動開始から仮停止するよりも前までの図柄変動中に停止予定図柄を表示するもの」に相当する。
カ　上記アから、刊行物１発明における「非特殊表示結果を仮停止し、当該非特殊表示結果を構成する一部の変動表示領域において仮停止されている識別情報を変更することにより前記特殊表示結果を仮停止し、前記再変動を実行する」ことは、本願補正発明における「前記擬似連続予告演出が実行される場合に、予告された停止図柄予告が変更可能に構成され」ることに相当する。
キ　上記アから、刊行物１発明における「非特殊表示結果を構成する一部の変動表示領域において仮停止されている識別情報を変更すること」は、本願補正発明における「停止図柄予告を、その後少なくとも１回変更する」ことに相当する。
　したがって、刊行物１発明における「非特殊表示結果を構成する一部の変動表示領域において仮停止されている識別情報を変更する」「再変動表示パターン」の「変動パターンを指定する演出制御コマンドに基づいて」「ＶＲＡＭに書き込」まれた「画像データに応じた信号を前記変動表示部（演出表示装置）に出力する」「ＶＤＰ」は、本願補正発明における「前記擬似連続予告演出が実行される場合に、前記停止図柄予告手段によって出力された停止図柄予告信号に従ってなされた停止図柄予告を、その後少なくとも１回変更するための停止図柄予告変更信号を出力する停止図柄予告変更手段」に相当する。
ク　上記アから、刊行物１発明における「変動表示部（演出表示装置）において」「当該非特殊表示結果を構成する一部の変動表示領域において仮停止されている識別情報を変更することにより前記特殊表示結果を仮停止」することと、本願補正発明における「前記図柄変動装置において変動している前記複数の図柄が当該変更された停止図柄予告における停止予定図柄と同一の図柄の仮停止図柄で仮停止および最終停止図柄で停止するように構成されている」こととは、「前記図柄変動装置において変動している前記複数の図柄が当該変更された停止図柄予告における停止予定図柄と同一の図柄の仮停止図柄で仮停止するように構成されている」ことで共通する。
ケ　したがって、本願補正発明と刊行物１発明とは、
「複数の表示領域において各々が識別可能な識別情報を有した複数の図柄を変動させて最終停止図柄で停止する図柄変動装置と、
前記複数の図柄のうち少なくとも一つのその後停止するであろう停止予定図柄を予告するための停止図柄予告信号を出力する停止図柄予告手段とを備えた遊技機において、
当該１回の図柄変動中に図柄を仮停止させた後に１回または複数回再変動させて擬似的に複数回の図柄変動を行う擬似連続予告演出を実行可能な演出実行手段を備え、
前記停止図柄予告手段により実行される停止図柄予告は、前記図柄の変動開始から仮停止するよりも前までの図柄変動中に停止予定図柄を表示するものであり、前記擬似連続予告演出が実行される場合に、予告された停止図柄予告が変更可能に構成され、
前記擬似連続予告演出が実行される場合に、前記停止図柄予告手段によって出力された停止図柄予告信号に従ってなされた停止図柄予告を、その後少なくとも１回変更するための停止図柄予告変更信号を出力する停止図柄予告変更手段とを備え、
前記図柄変動装置において変動している前記複数の図柄が当該変更された停止図柄予告における停止予定図柄と同一の図柄の仮停止図柄で仮停止するように構成されている
遊技機。」
の点で一致し、以下の点で相違する。
　
［相違点］：
　本願補正発明は、「前記図柄変動装置において変動している前記複数の図柄が当該変更された停止図柄予告における停止予定図柄と同一の図柄の最終停止図柄で停止するように構成されている」のに対し、
　刊行物１発明には、そのような特定がない点。
（４）判断
　上記相違点について検討する。
ア　相違点について
（ア）刊行物１には、「「滑り」の特定演出が実行される場合、「右」の図柄表示エリア９Ｒで、「５」の演出図柄を仮停止表示してから、演出図柄を高速に再変動させ、「７」の演出図柄になるように、停止表示させる演出図柄を変更させ、その後、「中」の図柄表示エリア９Ｃで「４」の演出図柄を仮停止表示した後、演出図柄が最終停止表示される」という事項が記載されている（上記「２　（２）」参照。）。
（イ）遊技機の技術分野において図柄変動の興趣を向上させることは当業者にとって当然目指すべき課題であるから、刊行物１発明における再変動表示パターンの最終停止時において、図柄変動の興趣を向上させることを目的として、「「滑り」の特定演出」を採用することは、当業者が刊行物１に記載された事項に基づいて容易になし得たことである。
（ウ）刊行物１に記載された事項の「「滑り」の特定演出が実行される場合、「右」の図柄表示エリア９Ｒで、「５」の演出図柄を仮停止表示してから、演出図柄を高速に再変動させ、「７」の演出図柄になるように、停止表示させる演出図柄を変更させ、その後、「中」の図柄表示エリア９Ｃで「４」の演出図柄を仮停止表示した後、演出図柄が最終停止表示される」構成は、「前記図柄変動装置において変動している前記複数の図柄が当該変更された停止図柄予告における停止予定図柄と同一の図柄の最終停止図柄で停止する」ことに相当するから、刊行物１発明において、刊行物１に記載された事項を採用すれば、「前記図柄変動装置において変動している前記複数の図柄が当該変更された停止図柄予告における停止予定図柄と同一の図柄の最終停止図柄で停止する」構成を備えることとなる。
（エ）したがって、刊行物１発明において、上記相違点に係る本願補正発明の構成となすことは、当業者が刊行物１に記載された事項に基づいて容易になし得たことである。
イ　本願補正発明が奏する効果について
　上記相違点によって本願補正発明が奏する効果は、当業者が刊行物１発明及び刊行物１に記載された事項から予測し得る程度のものであって、格別のものではない。
ウ　まとめ
　以上のように、本願補正発明は、当業者が刊行物１発明及び刊行物１に記載された事項に基づいて容易に発明をすることができたものであるから、特許法第２９条第２項の規定により、特許出願の際独立して特許を受けることができない。
３　補正却下の決定についてのむすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明
　本件補正は上記のとおり却下されたので、本願の各請求項に係る発明は、平成２６年９月５日付け手続補正書により補正された特許請求の範囲に記載されたとおりのものであり、特に、請求項１に係る発明（以下「本願発明」という。）は次のとおりである。
「複数の表示領域において各々が識別可能な識別情報を有した複数の図柄を変動させて最終停止図柄で停止する図柄変動装置と、
前記複数の図柄のうち少なくとも一つのその後停止するであろう停止予定図柄を予告するための停止図柄予告信号を出力する停止図柄予告手段とを備えた遊技機において、
当該１回の図柄変動中に図柄を１回または複数回再変動させて擬似的に複数回の図柄変動を行う擬似連続予告演出を実行可能な演出実行手段を備え、
前記擬似連続予告演出が実行される場合に、予告された停止図柄予告が変更可能に構成され、
前記擬似連続予告演出が実行される場合に、前記停止図柄予告手段によって出力された停止図柄予告信号に従ってなされた停止図柄予告を、その後少なくとも１回変更するための停止図柄予告変更信号を出力する停止図柄予告変更手段とを備え、
前記図柄変動装置において変動している前記複数の図柄が当該変更された停止図柄予告における停止予定図柄と同一の図柄の仮停止図柄で仮停止および最終停止図柄で停止するように構成されている
ことを特徴とする遊技機。」
２　刊行物
　刊行物１及びその記載事項並びに刊行物１記載の発明は、上記「第２　２」に記載したとおりである。
３　対比・判断
　本願発明は、上記「第２」で検討した本願補正発明から「仮停止させた後に」及び「前記停止図柄予告手段により実行される停止図柄予告は、前記図柄の変動開始から仮停止するよりも前までの図柄変動中に停止予定図柄を表示するものであり、」という事項を省いたものである。
　そうすると、本願発明の特定事項を全て含み、さらに他の特定事項を付加したものに相当する本願補正発明が、上記「第２　２」に記載したとおり、当業者が刊行物１に記載された発明に基づいて容易に発明をすることができたものであるから、本願発明も、同様の理由により、当業者が刊行物１に記載された発明に基づいて容易に発明をすることができたものである。
４　むすび
　以上のとおりであるから、本願発明は、特許法第２９条第２項の規定により特許を受けることができない。
　したがって、その余の請求項について検討するまでもなく、本願は、拒絶されるべきものである。
　よって、結論のとおり審決する。